(57)【特許請求の範囲】
【請求項１】
移動局が、位置登録処理を行う位置登録処理方法であって、
前記移動局が、無線基地局によって報知されている複数のシステム情報のうち、前記位置登録処理を行う際に必要な情報を含む所定のシステム情報を取得した場合に、該複数のシステム情報の残りの取得を完了する前に、該所定のシステム情報に基づいて、該位置登録処理を開始する工程を有することを特徴とする位置登録処理方法。
【請求項２】
前記位置登録処理が開始された後に、前記複数のシステム情報の残りを取得する工程を有することを特徴とする請求項１に記載の位置登録処理方法。
【請求項３】
前記所定のシステム情報は、ＭＩＢ、ＳＩＢ１及びＳＩＢ２であることを特徴とする請求項１に記載の位置登録処理方法。
【請求項４】
無線基地局によって報知されている複数のシステム情報のうち、位置登録処理を行う際に必要な情報を含む所定のシステム情報を取得した場合に、該複数のシステム情報の残りの取得を完了する前に、該所定のシステム情報に基づいて、該位置登録処理を開始するように構成されている位置登録処理部を具備することを特徴とする移動局。
【請求項５】
前記位置登録処理が開始された後に、前記複数のシステム情報の残りを取得するように構成されている取得部を具備することを特徴とする請求項４に記載の移動局。
【請求項６】
前記所定のシステム情報は、ＭＩＢ、ＳＩＢ１及びＳＩＢ２であることを特徴とする請求項４に記載の移動局。
【請求項７】
移動局が、位置登録処理を行う位置登録処理方法であって、
前記移動局が、無線基地局によって報知されている複数のシステム情報のうち、前記位置登録処理を行う際に必要な情報を含む所定のシステム情報を取得した場合、該複数のシステム情報の残りの取得を完了する前で、かつ、該位置登録処理が完了した後に、該所定のシステム情報に基づいて、発着信処理を開始する工程を有することを特徴とする位置登録処理方法。
【請求項８】
無線基地局によって報知されている複数のシステム情報のうち、位置登録処理を行う際に必要な情報を含む所定のシステム情報を取得した場合、該複数のシステム情報の残りの取得を完了する前で、かつ、該位置登録処理が完了した後に、該所定のシステム情報に基づいて、発着信処理を開始するように構成されている発着信処理部を具備することを特徴とする移動局。
【発明の詳細な説明】
【技術分野】
【０００１】
本発明は、移動局が位置登録処理を行う位置登録処理方法及び移動局に関する。
【背景技術】
【０００２】
一般的には、移動局ＵＥは、ユーザによって電源が投入されると、各セルにおいて報知されている報知情報を受信し、かかる報知情報に基づいてＡｔｔａｃｈ手順を実施するように構成されている。
【０００３】
ここで、移動局ＵＥは、かかるＡｔｔａｃｈ手順による位置登録処理が終了しなければ、発着信等の通信サービスの提供を受けることができない。
【０００４】
また、移動局ＵＥは、セル選択若しくはセル再選択を行った結果、位置登録エリアが変更になる場合にも、位置登録処理を行うように構成されている。
【非特許文献１】３ＧＰＰ ＴＳ２４.００８  ｖ７.１１.０、２００８年３月
【発明の開示】
【発明が解決しようとする課題】
【０００５】
しかしながら、移動局ＵＥが報知情報を受信するには、１秒程度かかり、Ａｔｔａｃｈ手順を実施するには、１００ミリ秒程度かかるため、移動局ＵＥにおいて、電源を投入してから通信サービスに提供を受けることができる状態になるまで時間がかかってしまうという問題点があった。
【０００６】
同様に、移動局ＵＥが、セル選択若しくはセル再選択を行った結果、位置登録エリアが変更になる場合にも、位置登録処理を行ってから通信サービスに提供を受けることができる状態になるまで時間がかかってしまうという問題点があった。
【０００７】
そこで、本発明は、上述の課題に鑑みてなされたものであり、位置登録処理が必要になってから通信サービスの提供を受けることができる状態になるまでの時間をできるだけ短縮することができる位置登録処理方法及び移動局を提供することを目的とする。
【課題を解決するための手段】
【０００８】
本発明の第１の特徴は、移動局が、位置登録処理を行う位置登録処理方法であって、前記移動局が、無線基地局によって報知されている複数のシステム情報のうち、前記位置登録処理を行う際に必要な情報を含む所定のシステム情報を取得した場合に、該所定のシステム情報に基づいて、前記位置登録処理を開始する工程と、前記位置登録処理が開始された後に、前記複数のシステム情報の残りを取得する工程とを有することを要旨とする。
【０００９】
本発明の第１の特徴において、前記所定のシステム情報は、ＭＩＢ、ＳＩＢ１及びＳＩＢ２であってもよい。
【００１０】
本発明の第２の特徴は、移動局であって、無線基地局によって報知されている複数のシステム情報のうち、位置登録処理を行う際に必要な情報を含む所定のシステム情報を取得した場合に、該所定のシステム情報に基づいて、前記位置登録処理を開始するように構成されている位置登録処理部と、前記位置登録処理が開始された後に、前記複数のシステム情報の残りを取得するように構成されている取得部とを具備することを要旨とする。
【００１１】
本発明の第２の特徴において、前記所定のシステム情報は、ＭＩＢ、ＳＩＢ１及びＳＩＢ２であってもよい。
【発明の効果】
【００１２】
以上説明したように、本発明によれば、位置登録処理が必要になってから通信サービスの提供を受けることができる状態になるまでの時間をできるだけ短縮することができる位置登録処理方法及び移動局を提供することができる。
【発明を実施するための最良の形態】
【００１３】
（本発明の第１の実施形態に係る移動通信システムの構成）
図１乃至図３を参照して、本発明の第１の実施形態に係る移動通信システムの構成について説明する。
【００１４】
図１に示すように、本実施形態に係る移動通信システムでは、移動局ＵＥが、無線基地局ｅＮＢによって報知された報知情報に含まれる複数のシステム情報「ＭＩＢ（Ｍａｓｔｅｒ  Ｉｎｆｏｒｍａｔｉｏｎ  Ｂｌｏｃｋ）」及び「ＳＩＢ（Ｓｙｓｔｅｍ  Ｉｎｆｏｒｍａｔｉｏｎ  Ｂｌｏｃｋ）１-８」に基づいて、位置登録処理を行うように構成されている。
【００１５】
図２に示すように、移動局ＵＥは、報知情報受信部１１と、位置登録処理部１２とを具備している。
【００１６】
報知情報受信部１１は、無線基地局ｅＮＢによって報知された報知情報に含まれる複数のシステム情報「ＭＩＢ」及び「ＳＩＢ１-８」を受信するように構成されている。
【００１７】
「ＭＩＢ」は、セル幅やアンテナ数やＰＨＩＣＨ（Ｐｈｙｓｉｃａｌ  Ｈｙｂｒｉｄ-ＡＲＱ  Ｉｎｄｉｃａｔｏｒ  Ｃｈａｎｎｅｌ）構成情報等の物理層パラメータ及びシステムフレーム番号（ＳＦＮ）を含むシステム情報であり、ＰＤＳＣＨ上で、４０ｍｓ周期で「Ｐ-ＢＣＨ（Ｐｈｙｓｉｃａｌ-Ｂｒｏａｄｃａｓｔ  Ｃｈａｎｎｅｌ）」にマッピングされて送信される。
【００１８】
「ＳＩＢ１」は、「ＰＬＭＮ（Ｐｕｂｌｉｃ  Ｌａｎｄ  Ｍｏｂｉｌｅ  Ｎｅｔｗｏｒｋ）-ＩＤ」や「Ｔｒａｃｋｉｎｇ  Ａｒｅａ  Ｃｏｄｅ」や「Ｃｅｌｌ-ＩＤ」やセル規制情報や「ＳＩＢ２-８」についてのスケジューリング情報等を含むシステム情報であり、ＰＤＳＣＨ上で、８０ｍｓ周期で「ＤＬ-ＳＣＨ（Ｄｏｗｎｌｉｎｋ-Ｓｈａｒｅｄ  Ｃｈａｎｎｅｌ）」にマッピングされて送信される。
【００１９】
「ＳＩＢ２」は、アクセス規制情報等を含み、「ＳＩＢ３」は、自局のセル再選択に係る情報を含み、「ＳＩＢ４」は、同一周波数内においてアクセス可能な周辺セル或いはアクセス不可能な周辺セルに係る情報等を含み、「ＳＩＢ５」は、異周波数内においてアクセス可能な周辺セル或いはアクセス不可能な周辺セルに係る情報等を含む。
【００２０】
「ＳＩＢ６」は、ＵＴＲＡ方式における優先度及び周波数リスト情報等を含み、「ＳＩＢ７」は、ＧＥＲＡＮ方式における優先度及び周波数リスト情報等を含み、「ＳＩＢ８」は、ＣＤＭＡ２０００方式における優先度及び周波数リスト情報等を含む。
【００２１】
ここで、移動局ＵＥが位置登録処理を行う際に必要な情報を含む所定のシステム情報は、「ＭＩＢ」、「ＳＩＢ１」及び「ＳＩＢ２」である。なお、「ＳＩＢ３-８」は、移動局ＵＥがセル選択若しくはセル再選択を行う際に必要な情報を含むシステム情報である。
【００２２】
すなわち、「ＳＩＢ３」乃至「ＳＩＢ８」には、待ち受け状態の移動局ＵＥのモビリティをサポートするために必要な情報が含まれている。
【００２３】
位置登録処理部１２は、移動局ＵＥの電源投入時に、Ａｔｔａｃｈ手順によって位置登録処理を行うように構成されている。また、位置登録処理部１２は、セル選択若しくはセル再選択を行った結果、位置登録エリアが変更になる場合にも、位置登録処理を行うように構成されている。
【００２４】
具体的には、位置登録処理部１２は、無線基地局ｅＮＢによって報知されている複数のシステム情報「ＭＩＢ」及び「ＳＩＢ１-８」のうち、位置登録処理を行う際に必要な情報を含む所定のシステム情報「ＭＩＢ」、「ＳＩＢ１」及び「ＳＩＢ２」を取得した場合に、所定のシステム情報「ＭＩＢ」、「ＳＩＢ１」及び「ＳＩＢ２」に基づいて、位置登録処理を開始するように構成されている。
【００２５】
ここで、報知情報受信部１１は、位置登録処理が行われている間に、複数のシステム情報の残り「ＳＩＢ３-８」を取得するように構成されている。
【００２６】
なお、報知情報受信部１１が、複数のシステム情報の残り「ＳＩＢ３-８」の取得を完了する前に、位置登録処理部１２は、位置登録処理を完了してしまってもよい。かかる場合、移動局ＵＥは、位置登録処理が完了した後に、通信サービスの提供を受けることが可能になる。
【００２７】
また、報知情報受信部１１は、図３に示すように、「Ｃ-ＲＮＴＩ（Ｃｅｌｌ-Ｒａｄｉｏ  Ｎｅｔｗｏｒｋ  Ｔｅｍｐｏｒａｒｙ  Ｉｄｅｎｔｉｆｉｅｒ）」や「ＳＩ-ＲＮＴＩ（Ｓｙｓｔｅｍ  Ｉｎｆｏｒｍａｔｉｏｎ-Ｒａｄｉｏ  Ｎｅｔｗｏｒｋ  Ｔｅｍｐｏｒａｒｙ  Ｉｄｅｎｔｉｆｉｅｒ）」を含む「ＰＤＣＣＨ（Ｐｈｙｓｉｃａｌ  Ｄｏｗｎｌｉｎｋ  Ｃｏｎｔｒｏｌ  Ｃｈａｎｎｅｌ）」に対応する「ＰＤＳＣＨ（Ｐｈｙｓｉｃａｌ  Ｄｏｗｎｌｉｎｋ  Ｓｈａｒｅｄ  Ｃｈａｎｎｅｌ）」を介して、ユーザデータと共に送信されたシステム情報「ＳＩＢ３-８」についても受信可能である。
【００２８】
（本発明の第１の実施形態に係る移動通信システムの動作）
図４を参照して、本発明の第１の実施形態に係る移動通信システムの動作の一例について説明する。
【００２９】
図４に示すように、無線基地局ｅＮＢが、特定のセルに対して、ステップＳ１００１において「ＭＩＢ」を報知し、ステップＳ１００２において「ＳＩＢ１」を報知し、ステップＳ１００３において「ＳＩＢ２」を報知する。
【００３０】
移動局ＵＥは、ステップＳ１００４において、位置登録処理を行う際に必要な情報を含む所定のシステム情報「ＭＩＢ」と「ＳＩＢ１」と「ＳＩＢ２」とを取得したことを検出し、ステップＳ１００５において、無線基地局ｅＮＢに対して「ＲＲＣ  ＣＯＮＮＥＣＴＩＯＮ  ＲＥＱＵＥＳＴ」を送信することによって、位置登録処理を開始する。
【００３１】
ステップＳ１００６において、無線基地局ｅＮＢが、ＲＲＣコネクションを設定する際に必要な情報を通知するための「ＲＲＣ  ＣＯＮＮＥＣＴＩＯＮ  ＳＥＴＵＰ」を、移動局ＵＥに対して送信する。
【００３２】
ステップＳ１００７において、無線基地局ｅＮＢは、移動局ＵＥによって位置登録処理が行われている最中であっても、当該特定のセルに対して、「ＳＩＢ３」を送信する。
【００３３】
ステップＳ１００８において、移動局ＵＥは、ＲＲＣコネクションの設定が完了したことを通知するための「ＲＲＣ  ＣＯＮＮＥＣＴＩＯＮ  ＳＥＴＵＰ  ＣＯＭＰＬＥＴＥ」を、無線基地局ｅＮＢに対して送信する。
【００３４】
その後、無線基地局ｅＮＢが、当該特定のセルに対して、ステップＳ１００９において「ＳＩＢ４」を送信し、ステップＳ１０１０において「ＳＩＢ５」を送信する。
【００３５】
ここで、無線基地局ｅＮＢによる「ＳＩＢ３-８」の報知手順（ステップＳ１００７、Ｓ１００９、Ｓ１０１０…）とＲＲＣコネクションの設定手順（ステップＳ１００４、Ｓ１００５、Ｓ１００６、Ｓ１００８）とは互いに独立するものであるため、図４に示すシーケンスは一例であり、両手順間でステップの順番が入れ替わることもある。
【００３６】
なお、移動局ＵＥは、上述の位置登録処理が完了次第、発着信処理を行うことができる。
【００３７】
（本発明の第１の実施形態に係る移動通信システムの作用・効果）
本発明の第１の実施形態に係る移動通信システムによれば、位置登録処理を行う際に必要最低限の情報を含む「ＭＩＢ」と「ＳＩＢ１」と「ＳＩＢ２」とを受信した場合に、セル選択若しくはセル再選択を行う際に必要な残りの「ＳＩＢ３-８」について受信していない場合であっても位置登録処理を開始するように構成されているため、位置登録処理が必要になってから通信サービスの提供を受けることができる状態になるまでの時間を短縮することができる。
【００３８】
（変更例）
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【００３９】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００４０】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【００４１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【００４２】
【図１】本発明の第１の実施形態に係る移動通信システムの全体構成図である。
【図２】本発明の第１の実施形態に係る移動局の機能ブロック図である。
【図３】本発明の第１の実施形態に係る無線基地局によって送信される報知情報の一例を示す図である。
【図４】本発明の第１の実施形態に係る移動通信システムの動作の一例を示すシーケンス図である。
【符号の説明】
【００４３】
ｅＮＢ…無線基地局
ＵＥ…移動局
１１…報知情報受信部
１２…位置登録処理部
【要約】
【課題】位置登録処理が必要になってから通信サービスの提供を受けることができる状態になるまでの時間をできるだけ短縮する。
【解決手段】本発明に係る位置登録処理方法は、移動局ＵＥが、無線基地局ｅＮＢによって報知されている複数のシステム情報のうち位置登録処理を行う際に必要な情報を含む所定のシステム情報を取得した場合に、所定のシステム情報に基づいて位置登録処理を開始する工程と、位置登録処理が開始された後に複数のシステム情報の残りを取得する工程とを有する。
【選択図】図４【図１】
0004335954.tif 000002
【図２】
0004335954.tif 000003
【図３】
0004335954.tif 000004
【図４】
0004335954.tif 000005